(57)【特許請求の範囲】
【請求項１】
複数の記録ヘッドが記録媒体に対して前記記録ヘッドの配列方向に相対移動しながら、前記記録ヘッドに設けられた吐出口から前記記録媒体にインクを吐出して記録を行うインクジェット記録装置において、
前記複数の記録ヘッドは、前記記録ヘッドの移動方向前方に位置する第１記録ヘッドと、該第１記録ヘッドの前記移動方向後方に隣接する第２記録ヘッドと、を含み、
前記第１記録ヘッドは翼形状を有しており、前記記録ヘッドの移動時に前記第１記録ヘッドの前記移動方向における前縁部に衝突した気流を前記翼形状により前記第１記録ヘッドの上面側を介して前記第２記録ヘッドと前記記録媒体との間へ導くことを特徴とするインクジェット記録装置。
【請求項２】
前記第１記録ヘッド及び第２記録ヘッドは、連結部を介してキャリッジと連結されていることを特徴とする請求項１に記載のインクジェット記録装置。
【請求項３】
複数の前記記録ヘッドは前記移動方向に対して複数配列されており、前記第１記録ヘッドは前記移動方向の一端側及び他端側の双方に配されていることを特徴とする請求項１または請求項２に記載のインクジェット記録装置。
【請求項４】
前記記録ヘッドは、前記第２記録ヘッドの前記移動方向後方に隣接する第３記録ヘッドを含み、前記第２記録ヘッドは翼形状を有していることを特徴とする請求項１ないし請求項３のいずれか１項に記載のインクジェット記録装置。
【請求項５】
前記第２記録ヘッドは翼形状を有していることを特徴とする請求項１ないし請求項４のいずれか１項に記載のインクジェット記録装置。
【請求項６】
前記第１記録ヘッドの前記移動方向前方の厚みは前記移動方向後方の厚みより厚いことを特徴とする請求項１ないし請求項５のいずれか１項に記載のインクジェット記録装置。
【請求項７】
前記第１記録ヘッドの前記記録媒体と対向する面は平面であり、前記平面の裏面は曲面であることを特徴とする請求項１ないし請求項６のいずれか１項に記載のインクジェット記録装置。
【発明の詳細な説明】
【技術分野】
【０００１】
本発明はインクジェット記録装置に関し、特に記録媒体に対向して走査し液滴を飛翔させるための複数の記録素子を持つインクジェット記録装置に関する。
【背景技術】
【０００２】
近年、液滴を吐出することで記録を行うインクジェット記録において、吐出液滴の小液滴化が進んでいる。これは、小液滴化により吐出液滴が液滴受容部材上に着弾した際に形成する着弾ドットサイズを小さくする事ができるため、高精細な画像形成を実現し、輪郭の表現や色階調の表現を豊かにすることが可能になるためである。しかし、吐出液滴を小さくして記録密度を向上させても、出力時間を低下させないようにすることが重要である。従来、同じ記録箇所に複数回の走査を行って記録を完成させる所謂マルチパス記録において、高画質な画像にはより多くの記録パス数で画像を形成するものであったが、高速な記録を実現するために、近年は記録パス数を減らすことが試みられている。したがって高画質化と高速化という目標を同時に目指す状況にあるわけである。この高速記録を実現するために、例えば往復記録をする、キャリッジ速度を速めるなどの工夫がなされている。ただしキャリッジ速度を速める場合、単位時間あたりに描画する領域が広がる事になるため、単位時間あたりにノズルから吐出する液滴数を増加させる、つまり高吐出周波数化する必要がある。
【０００３】
一方で、このインクジェット記録では、ノズルからのインク吐出に伴い発生する極微小な液滴が、液滴受容部材に到達せず、浮遊してしまうという現象がある。これに関し、先に示した小液滴化に加え、高吐出周波数化の傾向により、単位時間中に発生する前記の浮遊する微小液滴（以下浮遊ミストともいう）数の増大が顕著になってきている。また用いるインク物性によっては、微小液滴が発生しやすくなり、浮遊ミスト化が顕著となる事例もある。これら浮遊ミストの存在は製品設計における課題の一つとなっている。
【０００４】
この浮遊ミストが引き起こす問題の一例を以下に示す。インクジェット記録方式では、記録ヘッドをキャリッジに搭載して記録媒体に対して走査させつつ、記録ヘッドに設けられた吐出口からインク滴を連続的に吐出させて記録媒体へ記録を行う。
【０００５】
図１７（ａ）、（ｂ）は、従来の記録ヘッド７が矢印α方向に移動しながら記録媒体に対してインクを吐出している様子を模式的に示した図である。ベタ記録などノズルあたりの駆動周波数が高い記録条件下では、記録中の記録ヘッド７と記録媒体１との間において、図１７（ａ）に示されるような、記録ヘッド７の吐出口形成面（以下、ヘッドフェイス面ともいう）方向に巻き上がる流れ５０２が発生する。なお以降の図では、記録ヘッド７と流れ場を同時に表す場合、便宜上記録ヘッド７に固定された座標系で流れの様子を表現する。前述の浮遊ミスト５０４は、流れ５０２によって上昇してヘッドフェイス面に付着する。すると吐出ノズル列近傍では、付着した浮遊ミスト５０４によりインクの濡れ１１が形成され、混色、吐出不良による画質の低下が問題となる。このインク濡れの問題は、高画質を維持した省パス化を実現するにあたり、大きな障壁となっている。また浮遊ミスト５０４のヘッドフェイス面への付着は、記録中に発生する現象であるため、記録ヘッド７がホームポジションに戻った際に行われる吸引、ワイピングによっても回避できない事も大きな問題である。
【０００６】
これらの対策として、たとえば特許文献１には、記録装置の端部に配した吸引ファンにより記録装置内部の空気を吸引排出することで、記録装置内部の浮遊ミストを回収する機構が開示されている。しかし浮遊ミストのヘッドフェイス面への付着を低減させる効果はあまり期待できない。また特許文献２では、各記録ヘッドの間に吸引口を設け、この吸引口に接続されたファンによって、浮遊ミストを吸引する方法が提案されている。特許文献２の構成では、ファンを設置する必要があるため、騒音が発生したり、装置の大型化やコスト高を招く。さらには、吐出口の近傍で強制的に空気の吸引を行う構成であるため、浮遊ミストの軌道だけでなく、記録媒体に着弾させて画像を形成するインク液滴の軌道までもずらしてしまう恐れがあった。また特許文献３の構成では、キャリッジ底部もしくは記録ヘッド側部に空気抵抗低減手段を設け空気の乱れを抑えることで、記録ヘッドで発生するミスト発生量の低減を図っている。ただしミストの発生量を抑えたとしても、発生してしまった後の浮遊ミストの付着を抑制するものではない。
【０００７】
このようにヘッドフェイス面に付着する浮遊ミスト量を低減する事は依然として困難な技術であり、解決すべき課題となっている。
【０００８】
図１８は、従来の記録ヘッドを示した図であり、複数の記録ヘッドが設けられている構成を示している。この浮遊ミストのヘッドフェイス面付着の問題は、図１８に示されるような複数の記録ヘッド構成のインクジェット記録装置で顕著となるケースがある。なお、以降の本文中ではｘ軸を記録ヘッドの走査方向、ｚ軸を記録媒体に垂直な方向、ｙ軸をｘｚ平面に直交する方向とする。図１８のようなｎ個の記録ヘッド構成の場合、第１記録ヘッド１８１のインク吐出に伴い巻き上がる流れ４０６は弱く、ヘッドフェイス面へのミストの付着量は少ない。その一方で、それ以降の第２記録ヘッド１８２から第ｎ記録ヘッド１８３では、第１記録ヘッド１８１に比べて巻き上がる流れ４０７〜４０８は強いため、より多くの浮遊ミストがヘッドフェイス面へ付着してしまう。またこの付着量が増える現象は、走査方向後方の記録ヘッドほど顕著になる傾向を示す。したがって、浮遊ミストがヘッドフェイス面に付着する事自体も問題であるが、複数の記録ヘッド構成の場合では、各記録ヘッドのヘッドフェイス面への付着量が異なる事も設計を困難にする原因になっている。
【先行技術文献】
【特許文献】
【０００９】
【特許文献１】特開２００４−２５７１８号公報
【特許文献２】特開２００４−３０６２７０号公報
【特許文献３】特開２００４−４２５８０号公報
【発明の概要】
【発明が解決しようとする課題】
【００１０】
上記のように、複数ヘッド構成のインクジェット記録装置では、走査方向先頭の記録ヘッド以降の後続の記録ヘッドにおいて、浮遊ミストがヘッドフェイス面に付着しやすく、記録品質の低下を引き起こすという問題があった。そこで本発明では、浮遊ミストがヘッドフェイス面に付着するのを防止し、高品位の記録を実現することが可能なインクジェット記録装置を提供することを目的とする。
【課題を解決するための手段】
【００１１】
そのため本発明のインクジェット記録装置は、複数の記録ヘッドが記録媒体に対して前記記録ヘッドの配列方向に相対移動しながら、前記記録ヘッドに設けられた吐出口から前記記録媒体にインクを吐出して記録を行うインクジェット記録装置において、前記複数の記録ヘッドは、前記記録ヘッドの移動方向前方に位置する第１記録ヘッドと、該第１記録ヘッドの前記移動方向後方に隣接する第２記録ヘッドと、を含み、前記第１記録ヘッドは翼形状を有しており、前記記録ヘッドの移動時に前記第１記録ヘッドの前記移動方向における前縁部に衝突した気流を前記翼形状により前記第１記録ヘッドの上面側を介して前記第２記録ヘッドと前記記録媒体との間へ導くことを特徴とする。
【発明の効果】
【００１２】
本発明によればインクジェット記録装置では、複数の記録ヘッドは、記録ヘッドの移動方向前方に位置する第１記録ヘッドと、第１記録ヘッドの移動方向後方に隣接する第２記録ヘッドと、を含む。そして、第１記録ヘッドの移動方向における断面は翼形状を有しており、記録ヘッドの移動時に第１記録ヘッドの移動方向における前縁部に衝突した気流を第１記録ヘッドの上面側を介して第２記録ヘッドと前記記録媒体との間へ導く。これによって、浮遊ミストがヘッドフェイス面に付着するのを防止し、高品位の記録を実現することが可能なインクジェット記録装置を実現することができる。
【図面の簡単な説明】
【００１３】
【図１】（ａ）、（ｂ）は、本実施形態の記録ヘッド構成を示した図である。
【図２】（ａ）から（ｃ）はキャリッジに固定した記録ヘッドを示した図である。
【図３】（ａ）から（ｅ）は記録装置のインク供給系を説明した図である。
【図４】各記録ヘッドと記録媒体との間に流入する気流の様子を示した図である。
【図５】記録ヘッドの翼前縁部と記録媒体間の走査方向速度分布を示した図である。
【図６】（ａ）、（ｂ）は本発明の記録装置における記録ヘッドを示した図である。
【図７】記録ヘッド前縁部の位置における速度分布を示したグラフである。
【図８】（ａ）、（ｂ）は、本実施形態の記録ヘッドの変形例を示した図である。
【図９】第３の実施形態における記録ヘッドの構成を示した図である。
【図１０】各記録ヘッドの走査方向先端位置での速度分布を示したグラフである。
【図１１】記録ヘッドの前縁部と記録媒体間の速度分布を示したグラフである。
【図１２】第４の実施形態における記録ヘッドの構成を示した図である。
【図１３】第４の実施形態の変形例の記録ヘッド構成を示した図である。
【図１４】第５の実施形態における記録ヘッドの構成を示した図である。
【図１５】第５の実施形態の変形例を示した図である。
【図１６】第５の実施形態における別の変形例を示した図である。
【図１７】（ａ）、（ｂ）は、従来の記録ヘッドを模式的に示した図である。
【図１８】従来の記録ヘッドを示した図である。
【発明を実施するための形態】
【００１４】
以下、図面を参照して本発明の実施形態について説明する。まず発明者らは、浮遊ミストの飛翔に起因して生じるヘッドフェイス面へ巻き上がる流れの他にも、浮遊ミストの挙動に影響を与える気流が存在することに注目した。それは、キャリッジの移動によってキャリッジ・記録媒体間および記録ヘッド・記録媒体間の領域に相対的に流入する気流である。図１７（ｂ）に示したように、この流入する気流γが増加すると、ヘッドフェイス面へ巻き上がる流れ５０３が抑制されることが本発明者らの検討によって確認された。このようにヘッドフェイス面へ巻き上がる流れ５０３が弱まると、この巻き上がる流れ５０３に追従する浮遊ミスト５０４の数も減少し、ヘッドフェイス面への浮遊ミスト５０４の付着が低減されることも判った。なお図中の浮遊ミストの挙動５０６は、挙動の一例を示すものであり、必ずしもこのような軌跡になるわけではない。
【００１５】
したがって、ヘッドフェイス面への浮遊ミスト付着を低減するためには、記録ヘッド７と記録媒体１との間に流入する気流γと、ヘッドフェイス面へ巻き上がる流れ５０３とのバランスを制御することが重要となる。本発明はこの気流の流入量を増加させて、浮遊ミストの付着量を低減するという技術思想を複数の記録ヘッドで構成されるインクジェット記録装置に適用する。
【００１６】
以下に本発明との比較例として、従来の記録ヘッド形状における記録ヘッド周りの気流と、ヘッドフェイス面へ付着する浮遊ミストとについて説明を行う。従来の記録ヘッド形状は流体の流れに対し急激に角度が変わるコーナー部１２（図１８参照）を有する形状である事が多い。このため第１記録ヘッド１８１の後には、剥離渦（カルマン渦）４０５が発生してしまい、記録ヘッド間に走査方向と同じ方向に流れる逆流が生じる。これにより第２記録ヘッド１８２の前面における流れは逆流の影響が強く残るため、第２記録ヘッド１８２の走査方向前面部に衝突する気流４０４の流量は少なくなる。この時の第１記録ヘッド１８１と記録媒体１との間に流入する気流流量と、第２記録ヘッド１８２と記録媒体１との間に流入する気流流量とを比較してみる。第１記録ヘッド１８１前面部には強い流れ４０３が衝突するため第１記録ヘッド１８１と記録媒体１との間には大量に流入する流れ４０９が生じる。しかし第２記録ヘッド１５２では、前述のように記録ヘッド前面部への衝突する流量が少ないために、第１記録ヘッド１８１に比べ流入量が相対的に少ない流れ４１０が生じる。この第１記録ヘッド１８１と記録媒体１との間には、上記のように気流が大量に流入するため、第１記録ヘッド１８１のヘッドフェイス面へのミストの付着量は少ない。その一方で第２記録ヘッド１８２と記録媒体１との間では、気流の流入量が第１記録ヘッド１８１と記録媒体１との間に比べて相対的に少ないために、第１記録ヘッド１８１に比べ、より多くの浮遊ミストがヘッドフェイス面に付着してしまう。この第２記録ヘッド１８２と記録媒体１との間に流入する気流が少なくなる現象は、第２記録ヘッド１８２から最後尾の第ｎ記録ヘッド１８３までの全ての記録ヘッドで生じる事になり、後方の記録ヘッドほど顕著に流入する気流が少なくなる傾向を示す。したがって、浮遊ミストがヘッドフェイス面に付着する事自体も問題であるが、複数ヘッド構成の場合では各記録ヘッドのヘッドフェイス面への付着量が異なる事も設計を困難にする原因になっている。
【００１７】
ここで、第１記録ヘッド１８１と第２記録ヘッド１８２との間の距離を広げる事によって剥離渦４０５と第２記録ヘッド１８２との距離が広がり、逆流の影響が少なくなるため、第２記録ヘッド１８２と記録媒体１との間に流入する気流流量を増やすことが出来る。しかし記録ヘッド同士の間の距離が広がり、記録ヘッド構成のサイズが大きくなるため、記録装置の筐体を大きくする必要が生じ、コストの観点で望ましくない。従って記録ヘッドの位置関係を大きく変えずに流入する気流の量を増やす事が望ましい。
【００１８】
なお、以下に述べる実施の形態は、本発明の適切な具体例であるから、技術的に好ましい種々の限定が付けられている。しかし本発明の思想に沿うものであれば、これに限定されるものではない。
【００１９】
表１は、本実施形態における記録ヘッドの走査速度と、記録ヘッドと記録媒体との距離と、を示した表である。
【００２０】
【表１】
0005943990.tif 000002
【００２１】
例えば、表１の条件以外の駆動条件であっても、剥離渦の抑制効果そのものが本発明の思想に沿うものであり、本発明の実施形態の対象として捉える事が可能である。
【００２２】
（第１の実施形態）
図１（ａ）、（ｂ）は、本実施形態の記録ヘッド構成を示した図であり、（ａ）は側面（ｙ軸方向）から見た図であり、（ｂ）は斜視図である。本実施形態のインクジェット記録装置では、図１に示されるような、それぞれ複数の吐出口を有するチップ１６１を備えた前後２つの翼形状記録ヘッド１０１、１０２が記録媒体に対して記録ヘッドの配列方向（矢印α方向）に相対移動して記録を行う。この時、翼形状の各インクジェット記録ヘッドの翼前縁部３は、走査方向に面するように設けられている。また図２（ａ）から（ｃ）は、本実施形態においてキャリッジ８に記録ヘッド７を固定する様子を示した図であり、図３（ａ）から（ｅ）は、本実施形態のインクジェット記録装置のインク供給系を説明した図である。また図４は、本構成における各記録ヘッドと記録媒体１との間に流入する気流の様子を示した図である。
【００２３】
本実施形態では第１記録ヘッド１０１が翼形状となっているため、走査時に第１記録ヘッド１０１後部に流れの剥離が起きにくくなり、第１記録ヘッド１０１と第２記録ヘッド１０２との間の流れ２０５には逆流が生じにくくなる。また、第１記録ヘッド１０１には気流ガイド面２０が備えられており、移動時に、この第１記録ヘッド１０１の気流ガイド面２０によって、気流が第２記録ヘッド１０２の前面へと導かれる。そして、第２記録ヘッド１０２の前面へと導かれた気流の一部は、第２記録ヘッド１０２と記録媒体１との間に流れ込む。したがって第２記録ヘッド１０２の前面に、従来における記録ヘッドの構成に比べてより多くの気流２０４の衝突が生じる。第２記録ヘッド１０２の前面に衝突する流量が多いほど、第２記録ヘッド１０２と記録媒体１との間に流入する気流の流量も多くなるため、第２記録ヘッド１０２では、インク吐出によって生じる巻上がる流れを弱める事ができる。これにより浮遊ミストの巻き上げが軽減されるため、第２記録ヘッド１０２のヘッドフェイス面への浮遊ミスト付着量を抑制する事が可能となる。
【００２４】
図５は、本構成で記録ヘッドを走査させた際の、第２記録ヘッド１０２の翼前縁部３と記録媒体１との間の走査方向速度分布を示した図である。なお図５では、記録媒体上に固定された座標系での気流の速度を表している。点線が従来の記録ヘッドにおける速度分布を示しており、実線が本実施形態の記録ヘッドにおける速度分布を示している。このグラフからも判るように、本実施形態の記録ヘッドでは、従来に比べて第２記録ヘッド１０２と記録媒体１との間における気流の流入量が増加している。この気流の増加によって、浮遊ミストのヘッドフェイス面付着量低減が可能となった。
【００２５】
尚、図５に示すグラフは、記録ヘッドの走査方向先端位置での速度分布であり、後端側に向かうにつれて徐々に気流の流入速度は低下していく。したがって図１の斜視図で示した記録ヘッドのヘッドフェイス面、チップ、ノズル列の位置関係にもあるように、ノズル列位置は、なるべく記録ヘッドの走査方向先端部に近い位置に設ける事が望ましい。
【００２６】
ところで記録ヘッド７は、図２（ａ）から（ｃ）に示したようにキャリッジ８に固定されている。図２（ａ）は、記録ヘッド７の側面部にある連結部９でキャリッジ８に記録ヘッド７を固定するケースを示している。このケースでは連結部９とキャリッジ８とは、翼の側端部に設けられており、気流が流れる翼の上面には無いため、記録ヘッドの翼上面の気流へ与える影響は少ない。また図２（ｂ）と図２（ｃ）とは、記録ヘッド７とキャリッジ８とを、記録ヘッド７の上部にある連結部９で固定するケースを示している。図２（ｂ）は、記録ヘッド７とキャリッジ８とを、１つの細い連結部９によってキャリッジ８に固定している。また図２（ｃ）は、記録ヘッド７の上部の両側端部のそれぞれに連結部９を設けてキャリッジ８に固定している。図２（ｂ）、（ｃ）いずれのケースも連結部９の断面は、気流の流れを妨げない形状となっており、連結部９周囲の流れ１０において剥離渦などが生じにくい形状としている。この図２（ａ）から（ｃ）に示されるように、連結部９の形状や取り付け位置を翼形状記録ヘッドによる気流の剥離抑制効果を阻害しにくいように設ける事が本発明を適用する上で望ましい。従ってこの点に留意すれば記録ヘッドのキャリッジへの固定方法はどのようなものでも構わない。
【００２７】
さらに記録ヘッド７で使用されるインクの供給に関しては、図３（ａ）に示すようにインクタンク６からインク供給チューブ４、インク供給口５を介して供給される構成が一例として挙げられる。その際、構造を簡単にするために、図３（ｂ）のように、記録ヘッド７の側部にあるインク供給口５を介してインクタンク６と記録ヘッド７とを直接連結してもよい。また図３（ｃ）のようにインク供給口５を記録ヘッド７の上部に設けてもよい。あるいは図３（ｄ）のようにインクタンク６が記録ヘッド７の翼形状の一部を形成する構成や、図３（ｅ）のようにインクタンク６が記録ヘッド７内部に格納されるような構成であってもよい。なお、図３（ａ）から（ｅ）で示したインク供給系構成と、図２（ａ）から（ｃ）に示したキャリッジ８と記録ヘッド７との位置関係は、可能であれば、いずれの組み合わせであっても構わない。この図３（ａ）から（ｅ）の構成に示したように、インク供給に関する部材が翼形状記録ヘッドによる気流の剥離抑制効果を阻害しにくいように設ける事が本発明を適用する上で望ましく、その点に留意すればインクの供給方法はどのようなものでもよい。
【００２８】
つまり本発明の主眼は『翼形状ヘッドを用いた記録ヘッド上部の流れの剥離防止による、記録ヘッドと記録媒体との間に流入する気流の増加作用』という現象である。従ってこのような記録ヘッド周囲の形状、構造を、記録ヘッド上部における気流の剥離抑制の効果を阻害しにくいように設ける事が本発明を適用する上で望ましく、その点に留意すればどのような部材の形状や構成であっても構わない。
【００２９】
このように、翼形状の記録ヘッドを備えることによって、その後方の記録ヘッドと記録媒体との間に流れ込む気流を増やす。これによって、浮遊ミストがヘッドフェイス面に付着するのを防止し、高品位の記録を実現することが可能なインクジェット記録装置を実現することができた。
【００３０】
（第２の実施形態）
以下、図面を参照して本発明の第２の実施形態を説明する。なお、本実施形態の基本的な構成は第１の実施形態と同様であるため、以下では特徴的な構成についてのみ説明する。
【００３１】
図６（ａ）、（ｂ）は本発明のインクジェット記録装置における記録ヘッドを示した図であり、（ａ）は第１の実施形態の記録ヘッドであり、（ｂ）は本実施形態の記録ヘッドである。本実施形態でも記録ヘッドは第１の実施形態と同様に翼形状の記録ヘッドであるが、翼前縁部に気流導入ガイド面（以下、単に面取り部ともいう）２を備えている点が異なる。以下、これについて詳細に説明する。本実施形態の記録ヘッド７０は、図６（ｂ）に示したように、翼前縁部３とヘッドフェイス面の間に面取り部２を備えている。この面取り部２が記録ヘッド７０と記録媒体１との間への気流の導入部となって、より多くの気流を記録ヘッド７０と記録媒体１との間に取り込むことができる。このように、この面取り部２によって、配列された複数の記録ヘッドにおいて、移動方向前方に記録ヘッドが存在する記録ヘッドと記録媒体１との間に気流をより多く流すことが可能となる。つまり、図６（ａ）のような翼前縁部３に面取り部２を設けない場合に比べて、記録ヘッド７０と記録媒体１との間に流入する気流の量を増やす事が可能である。記録ヘッドの移動方向先頭に位置する記録ヘッドを第１記録ヘッドと称し、その第１記録ヘッドと隣接して、移動方向後方に位置する記録ヘッドを第２記録ヘッドと称す。
【００３２】
図７は、本実施形態の第２記録ヘッド前縁部３の位置における記録ヘッドと記録媒体間の走査方向速度分布を示したグラフである。なお図７では、記録媒体上に固定された座標系での気流の速度を表している。これより本実施形態では第２記録ヘッドにおいて、従来手法に比べ、より多くの気流が流入し、浮遊ミストのヘッドフェイス面付着量をより低減する事が可能である。なお、本実施形態では第１記録ヘッドと第２記録ヘッドとの両方の記録ヘッドに面取り部２を設けている。
【００３３】
なお、本実施形態ではＣ面取りの形状を設けたがＲ面取りとしてもよい。
【００３４】
図８（ａ）、（ｂ）は、本実施形態の記録ヘッドの変形例を示した図であり、（ａ）は上面図、（ｂ）は側面図を示している。図８（ａ）、（ｂ）に示されるような気流制御板３０１〜３０３を各記録ヘッドの前部に取り付け、各気流制御板の取付け角度３０４〜３０６を異ならせる。これによって、より積極的に記録ヘッドへの気流の衝突量を増やし、記録ヘッド７０と記録媒体１との間へ流入する気流の流量増加を促進させてもよい。なお、記録ヘッドごとに取付け角度を異ならせなくてもよい。また、これらＣ面取り、Ｒ面取りなどが混在した記録ヘッド形状としても構わない。
【００３５】
このように、気流導入ガイド面（面取り部）を備えた翼形状の記録ヘッドを備え、その記録ヘッドに気流制御板を備えることによって、その後方の記録ヘッドと記録媒体との間に流れ込む気流を増やす。これによって、浮遊ミストがヘッドフェイス面に付着するのを防止し、高品位の記録を実現することが可能なインクジェット記録装置を実現することができた。
【００３６】
（第３の実施形態）
以下、図面を参照して本発明の第３の実施形態を説明する。なお、本実施形態の基本的な構成は第１の実施形態と同様であるため、以下では特徴的な構成についてのみ説明する。
【００３７】
図９は、本実施形態における記録ヘッドの構成を示した図である。本実施形態は４個の記録ヘッドを備えた構成であり、各記録ヘッドにはそれぞれ異なった面取り部が設けられている。つまり、後方に位置する記録ヘッドほど大きく面取り角の小さな面取り部となっている。
【００３８】
図１０は、本実施形態のように記録ヘッドを４個設けた構成で、第２の実施形態のように同一の面取り部を各記録ヘッドに設けた場合の各記録ヘッドにおける走査方向先端位置での速度分布を示したグラフである。なお図１０では、記録媒体上に固定された座標系での気流の速度を表している。同一の面取り部を各記録ヘッドに設けた場合、各記録ヘッド７０と記録媒体１との間における気流の流入量は前後の記録ヘッド７０の影響により異なり、走査方向後方の記録ヘッド程、記録ヘッドと記録媒体間へ流入する気流の量は減る傾向にある。このように記録ヘッド７０と記録媒体１との間へ流入する気流の量が後方の記録ヘッドになるほど減る事は、後方の記録ヘッドにおける浮遊ミストのヘッドフェイス面付着量を増加させる事につながる。また記録ヘッド毎に流入する気流の量が違うため、浮遊ミストのヘッドフェイス面に付着する量が記録ヘッド毎で異なってしまい、設計が困難になるという問題もある。
【００３９】
そこで本実施形態では図９に示されるように、各記録ヘッド７１〜７４の面取り部２の各面取り６０１〜６０４の大きさ、あるいは面取り角６０５〜６０８を変える事で各記録ヘッドと記録媒体との間に流入する気流の量が異なるのを防止している。面取り部２は、大きく浅く作る程、記録ヘッドと記録媒体１との間に入り込む気流の流入量が増す。そのため本実施形態では、後方の記録ヘッドになるに従い、面取り部２を大きく浅く取っている。
【００４０】
図１１は、本実施形態の各記録ヘッド７１〜７４の前縁部３と記録媒体１との間の走査方向速度分布を示したグラフである。なお図１１では、記録媒体上に固定された座標系での気流の速度を表している。記録ヘッド７１〜７４と記録媒体１との間へ流入する気流の量について、第２記録ヘッド７２から第４記録ヘッド７４のヘッドでほぼ均一になっていることが分かる。これにより、浮遊ミストのヘッドフェイス面への付着が減少しほぼ均一になることが期待できる。
【００４１】
なお、本実施形態ではＣ面取り部の大きさと角度とを記録ヘッド毎に調整したが、Ｒ面取りにしてその大きさや角度を変えてもよい。あるいは図８にあるような、取り付け角度や長さの異なる気流制御板３０１〜３０３を設ける事によっても気流の流入量を調整する事ができる。この時、気流制御板は広く浅い角度であるほど流入量を増やすことができる。そして、このＣ面取り、Ｒ面取り、気流制御板が混在した構成であってもよい。
【００４２】
このように、異なる面取り部を備えた翼形状の記録ヘッドを備えることによって、その後方の記録ヘッドと記録媒体との間に流れ込む気流を増やす。これによって、浮遊ミストがヘッドフェイス面に付着するのを防止し、高品位の記録を実現することが可能なインクジェット記録装置を実現することができた。
【００４３】
（第４の実施形態）
以下、図面を参照して本発明の第４の実施形態を説明する。なお、本実施形態の基本的な構成は第１の実施形態と同様であるため、以下では特徴的な構成についてのみ説明する。
【００４４】
図１２は、本実施形態における記録ヘッドの構成を示した図である。本実施形態は、記録ヘッドが往復記録駆動を行う構成であり、６個の記録ヘッドが設けられている。第１から第３の実施形態では、一方向走査の記録を想定したものであり、往復移動による記録を行う場合は、各記録ヘッドへの気流の衝突方向が逆になる。しかし気流の剥離を抑制するための翼形状は、翼前縁部に対向して向かってくる気流について想定されたものであった。つまり翼前縁部に対向する方向とは逆方向に向かってくる気流については剥離を抑制することができない。従って第１から第３の実施形態のような一方向の記録を想定した記録ヘッド構成で往復記録をする場合、往復両方向記録で均一な浮遊ミストのヘッドフェイス面付着量低減が期待出来ない。
【００４５】
そこで本実施形態では、記録ヘッドを６個備え、往方向記録の際に用いる記録ヘッドと、復方向記録に用いる記録ヘッドとに分けて、往方向（矢印α方向）と復方向（矢印β方向）とで記録ヘッド使い分けて記録を行う。つまり往方向記録の際には、往方向に翼前縁部３を備えた第１記録ヘッド１２１、第２記録ヘッド１２２、第３記録ヘッド１２３を用いて記録を行う。そして、復方向記録の際には、復方向に翼前縁部３を備えた第４記録ヘッド１２４、第５記録ヘッド１２５、第６記録ヘッド１２６を用いて記録を行う。なお、往路の記録のみで使用するインクを吐出する記録ヘッドは第１記録ヘッド１２１から第３記録ヘッド１２３のどれであってもよい。また、復路の記録のみで使用するインクを吐出する記録ヘッドは第４記録ヘッド１２４から第６記録ヘッド１２６のどれであってもよい。
【００４６】
これにより往路と復路ともに、吐出を行う記録ヘッドは、翼の前縁部３に気流が対向して向かってくる構成となる。そのため、従来の記録ヘッドに比べ、記録ヘッドと記録媒体１との間へ流入する気流を増加させる事が出来、往路、復路ともに浮遊ミストのヘッドフェイス面付着量の低減を図る事が可能である。
【００４７】
なお、このような構成では記録ヘッドの数、往路の記録のみで使用する記録ヘッドの数、復路の記録のみで使用する記録ヘッドの数が異なっても構わない。つまり、本実施形態は次のような構成で置き換える事ができる。まず記録ヘッド数がｎ個で、往路の記録のみで使用するインクを吐出する記録ヘッドがｐ個であり、復路の記録のみで使用するインクを吐出する記録ヘッドがｑ個であり、（ｎ−ｐ−ｑ）の値が偶数であるとする。そしてｎ01＝（ｎ−ｐ−ｑ）／２＋ｐとし、ｎh1＝（ｎ−ｐ−ｑ）／２＋ｐ＋１とする。この時、往路方向記録時の気流が衝突する方向に翼前縁部３が備えられた、先頭に位置する第ｎ00記録ヘッドから第ｎ01記録ヘッドを往路方向での記録に使用する。そして、復路方向記録時の気流が衝突する部分に翼前縁部３が備えられた第ｎh1記録ヘッドから最後端に位置する第ｎ記録ヘッドを復路方向での記録に使用する。このような記録ヘッド構成とする事で、本発明の思想である剥離渦の抑制効果が各記録ヘッドで効果を得る事が可能となる。
【００４８】
図１３は、本実施形態の変形例の記録ヘッド構成を示した図であり、記録ヘッドの数が５個で、往路の記録のみで使用する記録ヘッドの数が３個であり、往路の記録のみで使用する記録ヘッドの数が２個のケースである。このようなケースであっても、第１記録ヘッド１２１から第３記録ヘッド１２３を往路記録で、第４記録ヘッド１２４と第５記録ヘッド１２５を復路記録で使用する。これにより各走査方向の先頭記録ヘッド以降の記録を行う記録ヘッドと記録媒体１との間に流入する気流の量を増やす事ができ、浮遊ミストのヘッドフェイス面への付着量を減らす事ができる。
【００４９】
このように、往方向復方向の双方向に対応した翼形状の記録ヘッドを備えることによって、その後方の記録ヘッドと記録媒体との間に流れ込む気流を増やす。これによって、浮遊ミストがヘッドフェイス面に付着するのを防止し、高品位の記録を実現することが可能なインクジェット記録装置を実現することができた。
【００５０】
（第５の実施形態）
以下、図面を参照して本発明の第５の実施形態を説明する。なお、本実施形態の基本的な構成は第１の実施形態と同様であるため、以下では特徴的な構成についてのみ説明する。
【００５１】
図１４は、本実施形態における記録ヘッドの構成を示した図である。本実施形態は記録ヘッドが往復記録駆動を行う構成であり、５個の記録ヘッドが設けられている。そして、５個設けられたている記録ヘッドの内の１個は、往方向記録と復方向記録の両方（双方向）の記録で用いる構成となっている。この双方向の記録で使用される記録ヘッドでは、往路、復路どちらの記録においても浮遊ミストのヘッドフェイス面への付着量の低減が必要となる。そこで、本実施形態の記録ヘッド構成では、往方向と復方向との両方に翼前縁部３を備えた第３記録ヘッド１４３が設けられており、この第３記録ヘッド１４３を双方向の記録で使用する。その他の、往路方向に翼前縁部３を有する第１記録ヘッド１４１、第２記録ヘッド１４２と、復路方向に翼前縁部３を有する第４記録ヘッド１４４、第５記録ヘッド１４５に関しては、前述の実施形態と同様の構成である。
【００５２】
このような構成により、往路、復路ともに吐出を行う記録ヘッド（第３記録ヘッド）１４３では、翼の前縁部３に気流が対向して向かってくる構成となる。そのため、従来の記録ヘッドに比べ、記録ヘッドと記録媒体１との間へ流入する気流を増加させる事ができ、往路、復路ともに浮遊ミストのヘッドフェイス面付着量の低減を図る事が可能である。
【００５３】
またこの時、往路、復路において第３記録ヘッド１４３以降の記録ヘッド（往路方向記録では第４記録ヘッド１４４と第５記録ヘッド１４５、復路方向記録では第１記録ヘッド１４１と第２記録ヘッド１４２）では吐出を行わないとすると次のような構成でもよい。
【００５４】
図１５は、本実施形態の変形例を示した図である。まず、走査時に第３記録ヘッド１４３以降となる記録ヘッドではインク吐出を行わないため、吐出に伴って生じる、巻き上がる気流自体が生じない。そのため、第３記録ヘッド１４３以降の記録ヘッドと記録媒体１との間への流入する気流の強弱に関わらず、第３記録ヘッド１４３以降の記録ヘッドにおける浮遊ミストのヘッドフェイス面付着は生じにくい。第３記録ヘッド１５３以降の記録ヘッドでは浮遊ミストのヘッドフェイス面への付着が生じにくいということは、第３記録ヘッド１５３以降の後続記録ヘッドと記録媒体１との間に流入する気流の量はどのようなものでもよいという事になる。そのため、第３記録ヘッド１５３自体は、必ずしも翼形状でなくてもよく、図１５に示すように走査方向に対称な形状であれば、往路、復路における第３記録ヘッド１５３と記録媒体１との間へ流入する気流の量は一定にする事ができる。ただしこの気流の量を意識的に往路方向記録時と復路方向記録時とで変えたい場合には、対称形状とせず、第３の実施形態で示したように面取り部２や気流の方向を制御する板の大きさや角度で調整しても構わない。
【００５５】
これらの事は記録ヘッド構成数、往路の記録のみで使用する記録ヘッドの数、復路の記録のみで使用する記録ヘッドの数が異なってもよい事を意味しており、本実施形態は次のような構成で置き換える事ができる。まず記録ヘッド構成数がｎ個で、往路の記録のみで使用する記録ヘッドがｐ個であり、復路の記録のみで使用する記録ヘッドがｑ個であり、（ｎ−ｐ−ｑ）の値が奇数であるとする。
【００５６】
この時、往路方向を基準方向として、記録時に気流が衝突する部分に翼前縁部３が備えられた、基準方向先頭に位置する第ｎ00記録ヘッドから第ｎ02記録ヘッドを往路方向での記録に使用する事とする。そして、復路方向記録時の気流が衝突する方向に翼前縁部３が備えられた第ｎh2記録ヘッドから第ｎ記録ヘッドを復路に使用する事とする。そして、往路方向で使用する記録ヘッドと復路方向で使用する記録ヘッドの間にある、ｎm個の記録ヘッドを往路、復路の双方向の記録で使用するとする。ここで、各記録ヘッドは次のように表すことができる。
ｎ02＝（ｎ−ｐ−ｑ−１）／２＋ｐ
ｎh2＝（ｎ−ｐ−ｑ＋１）／２＋ｐ＋１
また、ｎmについては次のように表すことができる。
ｎm＝（ｎ−ｐ−ｑ＋１）／２
このような記録ヘッド構成とする事で、本発明の思想である剥離渦の抑制効果が各記録ヘッドで得る事が可能となる。
【００５７】
図１６は、本実施形態における別の変形例を示した図である。記録ヘッドの数が４個であり、往路方向（矢印α方向）の記録のみで使用する記録ヘッドの数が２個であり、復路方向（矢印β方向）の記録のみで使用する記録ヘッドの数が１個であり、往路、復路の双方向で記録を行う記録ヘッドを１個備えたケースである。このようなケースであっても、第１記録ヘッド１４１と第２記録ヘッド１４２とを往路記録で使用し、第４記録ヘッド１４４を復路で使用し、第３記録ヘッド１４３を往復路記録で使用する。これにより各走査方向の先頭記録ヘッド以降の記録を行う記録ヘッドと記録媒体１との間に流入する気流の量を増やす事ができ、浮遊ミストのヘッドフェイス面への付着量を減らす事ができる。
【００５８】
このように、往方向復方向の双方向に対応した翼形状の記録ヘッドを備えることによって、その後方の記録ヘッドと記録媒体との間に流れ込む気流を増やす。これによって、浮遊ミストがヘッドフェイス面に付着するのを防止し、高品位の記録を実現することが可能なインクジェット記録装置を実現することができた。
【符号の説明】
【００５９】
１  記録媒体
２  面取り部
３  翼前縁部
７  記録ヘッド
８  キャリッジ
１２  コーナー部
２０  気流ガイド面
【図１】
0005943990.tif 000003
【図２】
0005943990.tif 000004
【図３】
0005943990.tif 000005
【図４】
0005943990.tif 000006
【図５】
0005943990.tif 000007
【図６】
0005943990.tif 000008
【図７】
0005943990.tif 000009
【図８】
0005943990.tif 000010
【図９】
0005943990.tif 000011
【図１０】
0005943990.tif 000012
【図１１】
0005943990.tif 000013
【図１２】
0005943990.tif 000014
【図１３】
0005943990.tif 000015
【図１４】
0005943990.tif 000016
【図１５】
0005943990.tif 000017
【図１６】
0005943990.tif 000018
【図１７】
0005943990.tif 000019
【図１８】
0005943990.tif 000020